(57)【要約】【課題】  高精細化、あるいは、より明るい画像表示等を実現する。【解決手段】  電気光学装置は、極性反転する第１電極、これに対向する第２電極、及びこれらに挟持される液晶を備える。極性反転タイミングの前において、走査線駆動回路は、複数の走査線の２以上を同時に選択するとともに（図中矢印Ar１参照）、データ線駆動回路は、その後の第１電極の電位の極性とは反対の極性をもつ相殺電位をデータ線に出力する。他方、極性反転タイミング以後において、走査線駆動回路は、複数の走査線の各々を個別的に選択するとともに（図中矢印Ar２参照）、データ線駆動回路は、その後の第１電極の電位の極性に応じたデータ電位をデータ線に出力する。【選択図】図７
2010266601.tif 000002
【特許請求の範囲】
【請求項１】
複数の走査線及び複数のデータ線の交差に対応して配置された複数の画素と、
前記画素の一部を構成する第１電極の電位の極性を一定期間ごとに反転させる極性反転手段と、
前記複数の走査線の２以上を同時に、又は前記複数の走査線の各々を個別的に選択しながら、当該複数の走査線の全部を選択する走査線駆動回路と、
前記複数のデータ線の各々に前記第１電極の電位の極性に応じたデータ電位を出力するデータ線駆動回路と、
を備え、
前記複数の画素の各々は、
前記第１電極に対向する第２電極と、
前記第１及び第２電極間に挟持された電気光学物質と、
前記第２電極と前記データ線との間に配置され、前記複数の走査線のうち当該画素に対応する１つの走査線の選択により導通状態となることで当該第２電極と当該データ線とを導通させるスイッチング素子と、
を含み、
前記極性反転手段による前記第１電極の電位の極性の反転時点である第１時点の前において、
前記走査線駆動回路は、前記複数の走査線の２以上を同時に選択するとともに、
前記データ線駆動回路は、当該第１時点後の前記第１電極の電位の極性とは反対の極性をもつ相殺電位を前記データ線に出力し、
当該第１時点以後において、
前記走査線駆動回路は、前記複数の走査線の各々を個別的に選択するとともに、
前記データ線駆動回路は、当該第１時点後の前記第１電極の電位の極性に応じた前記データ電位を前記データ線に出力する、
ことを特徴とする電気光学装置。
【請求項２】
前記第１電極の電位は、Ｖ１及びＶ２の２種の値を含み、
前記相殺電位は、
前記第１電極の電位がＶ１であるとき、Ｖ２になり、
前記第１電極の電位がＶ２であるとき、Ｖ１になる、
ことを特徴とする請求項１に記載の電気光学装置。
【請求項３】
前記走査線駆動回路は、
前記複数の走査線たる第１，第２，…，第ｎの走査線の選択方向を、
第１から第ｎへの方向とするか、又は、第ｎから第１への方向とする、
ことを特徴とする請求項１又は２に記載の電気光学装置。
【請求項４】
前記走査線駆動回路は、前記第１時点が訪れるたびに、
当該第１時点の前における前記複数の走査線の２以上の同時選択時の前記選択方向を、その直前の前記第１時点における当該選択方向とは逆転させ、及び、
当該第１時点後における前記複数の走査線の個別的選択時の前記選択方向を、その直前の前記第１時点における当該選択方向とは逆転させる、
ことを特徴とする請求項３に記載の電気光学装置。
【請求項５】
ある特定の前記第１時点に関し、
当該第１時点後における前記複数の走査線の個別的選択時の前記選択方向は、
当該第１時点の前における前記複数の走査線の２以上の同時選択時の前記選択方向に対して逆転する、
ことを特徴とする請求項４に記載の電気光学装置。
【請求項６】
ある特定の前記第１時点に関し、
当該第１時点後における前記複数の走査線の個別的選択時の前記選択方向は、
当該第１時点の前における前記複数の走査線の２以上の同時選択時の前記選択方向と同じである、
ことを特徴とする請求項４に記載の電気光学装置。
【請求項７】
前記複数の走査線のうちの一の走査線が、
前記第１時点後における前記複数の走査線の個別的選択時に選択される時点を第２時点、
当該第１時点後に訪れる新たな前記第１時点の前における前記複数の走査線の２以上の同時選択時に選択される時点を第３時点とし、
前記複数の走査線のうちの他の一の走査線に関する、
前記第２時点に相当する時点を第４時点、
前記第３時点に相当する時点を第５時点とするとき、
前記第１時点が繰り返し訪れる場合における、前記第２時点から前記第３時点までの期間の所定期間内の総和は、
前記第１時点が繰り返し訪れる場合における、前記第４時点から前記第５時点までの期間の所定期間内の総和に等しい、
ことを特徴とする請求項３乃至６のいずれか一項に記載の電気光学装置。
【請求項８】
前記所定期間は、前記一定期間が偶数回繰り返される時間に等しい、
ことを特徴とする請求項７に記載の電気光学装置。
【請求項９】
請求項１乃至８のいずれか一項に記載の電気光学装置を備える、
ことを特徴とする電子機器。
【発明の詳細な説明】
【技術分野】
【０００１】
本発明は、液晶等の電気光学物質を含む電気光学装置及び当該電気光学装置を含む電子機器に関する。
【背景技術】
【０００２】
電気エネルギーによって光学特性が変化する電気光学物質として、液晶が知られている。液晶は印加電圧に応じて透過率が変化する。この透過率の変化は、液晶分子の配向状態が印加電圧に応じて変化することによって得られる。また、液晶には、直流電圧を長時間印加すると、配向状態が元に戻りにくくなる性質がある。このため、液晶を表示装置に適用した液晶表示装置では、電気光学素子たる液晶素子に印加する電圧の極性を反転する交流駆動が採用される。
液晶表示装置は、複数の走査線と、複数のデータ線と、走査線とデータ線の交差に対応して設けられた複数の画素を備える。複数の画素は、画素電極、対向電極、及びこれらの間に挟持された液晶からなる液晶素子を有する。
【０００３】
液晶素子への印加電圧を反転する手法として、対向電極の電位（以下、対向電極電位と称することがある。）を固定し、データ線を介して供給するデータ電位の極性を、対向電極電位を中心して反転させるものが知られている。また、特許文献１には対向電極電位の極性をデータ電位の振幅の中心電位を基準として反転させると共に、データ電位についても極性を反転させる手法が開示されている。
【先行技術文献】
【特許文献】
【０００４】
【特許文献１】特開２００５−２４１７４１号公報
【発明の概要】
【発明が解決しようとする課題】
【０００５】
ところで、前述したような、対向電極電位の極性を反転させる手法においては、次のような問題がある。すなわち、前記画素は、前述した画素電極、対向電極及び液晶素子のほか、液晶素子へのデータ電位の書込の有無を司るスイッチングトランジスターを備えることがあり、あるいは、液晶素子へのデータ電位の印加をよりよく行うため当該データ電位を保持する保持容量を備えることがある。このような場合、対向電極電位の極性が前述のように反転すると、保持容量あるいは液晶素子のカップリング作用が働くことで、当該画素内の電位（例えば画素電極の電位等）が変動してしまうおそれがある。
【０００６】
また、このようないわば余分の電位変動が生じたとしても、液晶表示装置を支障なく動作させるためには、前記スイッチングトランジスターの耐圧性能を向上させておく必要がある。これによって、そのような余分な電位変動に対するスイッチングトランジスターの無用な反応を回避し、あるいは、その損傷を未然に防止することができる。
しかし、そのような耐圧性能の改善は、スイッチングトランジスターのサイズの大型化を要請することになり、表示画像の高精細化の障害となる。
【０００７】
本発明は、上述した課題の少なくとも一部を解決することの可能な電気光学装置及び電子機器を提供することを課題とする。
また、本発明は、かかる態様の電気光学装置及び電子機器に関連する課題を解決可能な、電気光学装置及び電子機器を提供することをも課題とする。
【課題を解決するための手段】
【０００８】
本発明に係る電気光学装置は、上述した課題を解決するため、複数の走査線及び複数のデータ線の交差に対応して配置された複数の画素と、前記画素の一部を構成する第１電極の電位の極性を一定期間ごとに反転させる極性反転手段と、前記複数の走査線の２以上を同時に、又は前記複数の走査線の各々を個別的に選択しながら、当該複数の走査線の全部を選択する走査線駆動回路と、前記複数のデータ線の各々に前記第１電極の電位の極性に応じたデータ電位を出力するデータ線駆動回路と、を備え、前記複数の画素の各々は、前記第１電極に対向する第２電極と、前記第１及び第２電極間に挟持された電気光学物質と、前記第２電極と前記データ線との間に配置され、前記複数の走査線のうち当該画素に対応する１つの走査線の選択により導通状態となることで当該第２電極と当該データ線とを導通させるスイッチング素子と、を含み、前記極性反転手段による前記第１電極の電位の極性の反転時点である第１時点の前において、前記走査線駆動回路は、前記複数の走査線の２以上を同時に選択するとともに、前記データ線駆動回路は、当該第１時点後の前記第１電極の電位の極性とは反対の極性をもつ相殺電位を前記データ線に出力し、当該第１時点以後において、前記走査線駆動回路は、前記複数の走査線の各々を個別的に選択するとともに、前記データ線駆動回路は、当該第１時点後の前記第１電極の電位の極性に応じた前記データ電位を前記データ線に出力する。
【０００９】
本発明によれば、まず、第１電極の電位が極性反転するとともに、第２電極にはそれに応じたデータ電位が供給される。これにより、電気光学物質の一例たる液晶に常に一方向の電圧が印加されることが回避され、その劣化の促進を防止することができる。なお、本発明に言う「極性」とは、一定の仮定された中心電位を基準に、それ上回る電位と下回る電位が存在することを前提とする。この場合、これら２種の電位それぞれが「極性」（あるいは、前記中心電位を基準に、プラス側の極性とマイナス側の極性）を意味することになり、前者から後者へ又は後者から前者への切り替えが行われることが極性の「反転」ということを意味する。
そして、本発明においては特に、このような極性反転駆動が行われることを前提に、その極性反転時点である第１時点の前後において特徴的な書込動作が行われ、特に、第１時点の前において、第２電極ないし画素への相殺電位の書込が行われる。これにより、本発明においては、第１電極の電位の極性反転に応じ、何らかの理由（例えば前述したようなカップリング作用）によって、第２電極等の電位が変動するような場合であっても、その電位変動は、前記相殺電位がいわば一種のバッファとして機能して、その変動幅を当該相殺電位にいわば吸収させることが可能となる。したがって、本発明においては、その構成要素である「スイッチング素子」の大型化等は要請されず、低電圧対応のものを用意すれば十分という効果が奏される。また、同じ理由から、本発明によれば、画素配列の高精細化を達成することもできる。
加えて、本発明によれば、このような効果を生み出す相殺電位の書込動作が、前記第１時点以後に行われるデータ電位の書込動作よりも速くに行われる。これは、前者の書込動作では２本以上の走査線が同時選択されるのに対して、後者の書込動作では個別的な選択が行われることによっている。
このように、相殺電位の書込動作がより速められるということは、前記二者の書込動作の間において画像表示を行うことが事実上困難であることを鑑みるに、そのような意味における画像非表示期間の短縮化に貢献し、逆に言えば、画像表示期間の長期化に貢献する。このようにして、本発明によれば、より明るい画像表示を行うこと等、その表示特性の維持・向上が実現されることになる。
【００１０】
この発明の電気光学装置では、前記第１電極の電位は、Ｖ１及びＶ２の２種の値を含み、前記相殺電位は、前記第１電極の電位がＶ１であるとき、Ｖ２になり、前記第１電極の電位がＶ２であるとき、Ｖ１になる、ように構成してもよい。
この態様によれば、相殺電位が、第１電極の電位の値のいわば真反対の値をもつものとして規定されることから、前述した、相殺電位に係る作用効果を最大限享受することが可能である。
なお、本態様の規定から逆に、本発明一般は、相殺電位と第１電極の電位とが、（その極性の別を除いて）全く同じ値をもつことまでは要請しない。例えば、本態様のように、第１電極が、Ｖ１→Ｖ２→Ｖ１→…と極性反転していく場合、相殺電位は、Ｖ３→Ｖ４→Ｖ３→…（ただし、Ｖ１＜Ｖ２である場合、Ｖ１＜Ｖ３、Ｖ４＜Ｖ２、かつＶ３＜Ｖ４）と極性反転していく場合も、本発明一般の範囲内にある。
【００１１】
また、本発明の電気光学装置では、前記走査線駆動回路は、前記複数の走査線たる第１，第２，…，第ｎの走査線の選択方向を、第１から第ｎへの方向とするか、又は、第ｎから第１への方向とする、ように構成してもよい。
この態様によれば、複数の走査線の選択方向を逆転すること、あるいは、従前の選択方向と変化させないことが可能である。これにより、複数の走査線の選択方向を適宜に決定することによって、例えば走査線又はデータ線が一定の長さをもつこと等による表示上の不均衡、あるいは各画素又はその構成要素たるスイッチング素子等の特性の相違に基づく表示上の不均衡、等を解消することができる。
【００１２】
この態様では、前記走査線駆動回路は、前記第１時点が訪れるたびに、当該第１時点の前における前記複数の走査線の２以上の同時選択時の前記選択方向を、その直前の前記第１時点における当該選択方向とは逆転させ、及び、当該第１時点後における前記複数の走査線の個別的選択時の前記選択方向を、その直前の前記第１時点における当該選択方向とは逆転させる、ように構成してもよい。
この態様によれば、相殺電位書込動作に係る走査線の選択方向は、第１時点が訪れるたびに逆転され、また、データ電位書込動作に係る走査線の選択方向も、第１時点が訪れるたびに逆転される。このように、第１時点の到来を契機とする、走査線の選択方向の逆転が行われるならば、全走査線についての画像表示期間の偏りを解消することが可能である。
なお、本態様をより具体化した態様については、後述する実施形態において、図１０及び図１１等が参照されながら説明される。
【００１３】
この態様では、ある特定の前記第１時点に関し、当該第１時点後における前記複数の走査線の個別的選択時の前記選択方向は、当該第１時点の前における前記複数の走査線の２以上の同時選択時の前記選択方向に対して逆転する、ように構成してもよい。
この態様によれば、前述したような隣接する第１時点間における走査線の選択方向の逆転に加えて、その中の特定の第１時点を挟む、相殺電位及びデータ電位書込動作に係る走査線の選択方向に関しても逆転が行われる。
このような態様によると、ある特定の第１時点の前における相殺電位書込動作が、第ｎの走査線で終了したならば、その第ｎの走査線からデータ電位書込動作を即座に開始することになる。したがって、これによれば、前述した画像非表示期間の更なる短縮化、あるいは画像表示期間の更なる長期化を達成することができる。
なお、本態様をより具体化した態様については、後述する実施形態において、図１０が参照されながら説明される。
【００１４】
あるいは、第１時点の到来を契機に走査線の選択方向が逆転していく態様では、ある特定の前記第１時点に関し、当該第１時点後における前記複数の走査線の個別的選択時の前記選択方向は、当該第１時点の前における前記複数の走査線の２以上の同時選択時の前記選択方向と同じである、ように構成してもよい。
この態様によれば、前述したような隣接する第１時点間における走査線の選択方向の逆転は行われるが、その中の特定の第１時点を挟む、相殺電位及びデータ電位書込動作に係る走査線の選択方向に関しては逆転は行われない。
このような態様によると、ある特定の第１時点の前における相殺電位書込動作が、第ｎの走査線で終了したならば、それに続くデータ電位書込動作は、第１の走査線から開始するということになる。このように、第ｎの走査線に関する書込動作の完了後、即座に同じ走査線に関する書込動作を行わないことによれば、前者の書込動作の影響が後者の書込動作に及ぶおそれを回避することが可能となるから、これらの書込動作全般をより正確に行うことができる。
なお、本態様をより具体化した態様については、後述する実施形態において、図１１が参照されながら説明される。
【００１５】
また、走査線の選択方向が逆転可能である態様では、前記複数の走査線のうちの一の走査線が、前記第１時点後における前記複数の走査線の個別的選択時に選択される時点を第２時点、当該第１時点後に訪れる新たな前記第１時点の前における前記複数の走査線の２以上の同時選択時に選択される時点を第３時点とし、前記複数の走査線のうちの他の一の走査線に関する、前記第２時点に相当する時点を第４時点、前記第３時点に相当する時点を第５時点とするとき、前記第１時点が繰り返し訪れる場合における、前記第２時点から前記第３時点までの期間の所定期間内の総和は、前記第１時点が繰り返し訪れる場合における、前記第４時点から前記第５時点までの期間の所定期間内の総和に等しい、ように構成してもよい。
この態様によれば、前記一の走査線に対応する画素についての画像表示期間と、前記他の一の走査線に対応する画素についての画像表示期間との間の長短バランスが、前記所定期間に関していわば均されることによって、とられることになる。このように、本態様によれば、画素の位置に応じた画像の明暗の偏りのない、より高品質が画像表示を実現することが可能である。
【００１６】
この態様では、前記所定期間は、前記一定期間が偶数回繰り返される時間に等しい、ように構成してもよい。
この態様によれば、例えば、第１電極についての極性反転が３回行われる場合（即ち、第１時点が３回訪れる場合）における、２回の前記一定期間に関して、前述したような画像表示期間の長短バランスがとられることになる。本発明一般は、一定期間が奇数回繰り返される場合に、そのような長短バランスをとる態様を排除するわけではないが、本態様はそれに比べれば、より容易にその実現を図ることができるといえる。
【００１７】
また、本発明の電子機器は、上記課題を解決するために、上述した各種の電気光学装置を備える。
本発明の電子機器は、上述した各種の電気光学装置を備えてなるので、上述した各種の作用効果を備えた上での、高品質な画像表示等が可能である。
【図面の簡単な説明】
【００１８】
【図１】本発明の第１実施形態に係る電気光学装置の全体構成を示すブロック図である。
【図２】図１の電気光学装置を構成する画素の詳細を示す回路図である。
【図３】図１の電気光学装置の動作を説明するためのタイミングチャートである。
【図４】図３の走査線の選択順序である転送方向が上下逆になる場合を説明するための説明図である。
【図５】図３の走査線の選択順序に関して、複数本の走査線が同時選択される場合を説明するための説明図である。
【図６】第１実施形態に係る電気光学装置の動作において特徴的な、共通電位反転動作に連動した相殺電位書込動作を説明するための説明図である。
【図７】第１実施形態に係る電気光学装置の動作において特徴的な相殺電位書込動作に係る全走査線の平均選択速度と、データ電位書込動作に係る全走査線の平均選択速度との関係を説明するための説明図である。
【図８】図６の比較例である。
【図９】図７の比較例である。
【図１０】本発明の第２実施形態に係る、図７と同趣旨の図であって、相殺電位書込動作及びデータ電位書込動作に係る走査線の転送方向の態様について特徴があるものを説明するための説明図である。
【図１１】本発明の第３実施形態に係る、図７及び図１０と同趣旨の図であって、相殺電位書込動作及びデータ電位書込動作に係る走査線の転送方向の態様について特徴があるものを説明するための説明図である。
【図１２】図７及び図１０と同趣旨の図であって、本発明の実施形態の変形例（図１０及び図１１の組み合わせ的態様）について説明するための説明図である。
【図１３】本発明に係る電気光学装置を適用した電子機器を示す斜視図である。
【図１４】本発明に係る電気光学装置を適用した他の電子機器を示す斜視図である。
【図１５】本発明に係る電気光学装置を適用したさらに他の電子機器を示す斜視図である。
【発明を実施するための形態】
【００１９】
＜第１実施形態＞
以下では、本発明に係る第１の実施の形態について図１及び図２を参照しながら説明する。なお、ここに言及した図１及び図２に加え、以下で参照する各図面においては、各部の寸法の比率が実際のものとは適宜に異ならせてある場合がある。
【００２０】
本発明の実施形態に係る電気光学装置は、電気光学材料として液晶を用いる。電気光学装置１Ａは、主要部として液晶パネル（電気光学パネルの一例）を備える。液晶パネルは、スイッチング素子として薄膜トランジスター（Thin Film Transistor：以下、「ＴＦＴ」と称する）を形成した素子基板と対向基板とを互いに電極形成面を対向させて、かつ、一定の間隙を保って貼付し、この間隙に液晶が挟持されている。
【００２１】
図１は第１実施形態に係る電気光学装置１Ａの全体構成を示すブロック図である。この電気光学装置１Ａは、走査線駆動回路１００、データ線駆動回路２００、制御回路３００、電源回路４００、及び画像表示領域Ａを備える。これらの構成のうち、液晶パネルは少なくとも画像表示領域Ａを備え、電源回路４００は液晶パネルの外付け回路となる。走査線駆動回路１００、データ線駆動回路２００、及び制御回路３００は、液晶パネルに取り込んでもよいし、あるいは、外付け回路としてもよい。この例では、液晶パネルの素子基板上に、画像表示領域Ａ、走査線駆動回路１００、及びデータ線駆動回路２００が形成されているものとする。
【００２２】
画像表示領域Ａには、ｎ（ｎは２以上の自然数）本の走査線１０と、ｍ（ｍは２以上の自然数）本のデータ線２０と、走査線１０及びデータ線２０の交差に対応してｎ×ｍ個の画素５０が設けられている。画素５０には、図示せぬバックライトからの光が入射され、透過率が調整される。これによって、光変調による階調表示が可能となる。第１実施形態は、透過型の液晶パネルを例示するが、反射型あるいは半透過反射型の液晶パネルであってもよいことは勿論である。
【００２３】
制御回路３００は、Ｘ転送開始パルスＸＳＰ、Ｘ転送方向指令信号ＲＬ、Ｘクロック信号ＸＣＫ、及び画像データＶＤなどを生成してデータ線駆動回路２００に供給すると共に、Ｙ転送開始パルスＹＳＰ、Ｙ転送方向指令信号ＵＤ、Ｙクロック信号ＹＣＫ、及び同時出力指令信号ＤＳなどを生成して走査線駆動回路１００に供給する。
【００２４】
図２に画素５０の電気的な構成を示す。
画素５０は、画素回路Ｐ１を含み、この画素回路Ｐ１は、液晶素子６０、データ線２０と液晶素子６０との間に設けられた選択トランジスター５１、及び保持容量５２を備える。
このうち選択トランジスター５１は、図示するようにＣＭＯＳ（Complementary Metal Oxide Semiconductor）構造を含む。図１では便宜的に１本の配線として図示された走査線１０は、選択トランジスター５１がＣＭＯＳ構造を含むのに応じて、図２に示すように実際には２本の配線１１及び１２を含む。各配線１１及び１２には走査線駆動回路１００から、相互に相補的関係にある走査信号ＧＬ及び／ＧＬが供給される（なお、以下では、走査信号ＧＬ及び／ＧＬを総称する名称として、「走査信号Ｙ」を用いることがある。図１及び図２参照）。選択トランジスター５１は、走査信号ＧＬ及び／ＧＬの状態に応じて、液晶素子６０からみてデータ線２０に対し導通又は非導通状態となる。
液晶素子６０は、画素電極５３及び対向電極５４を含み、これらの間に液晶ＬＣが挟持された構造をもつ。
以上の要素のうち、選択トランジスター５１及び画素電極５３は素子基板上に形成され、対向電極５４は対向基板上に形成される。対向電極５４は対向基板の全面に形成され、全画素５０に共通である。また、この対向電極５４と保持容量５２の一方の電極とは容量線３０に接続される（なお、保持容量５２の他方の電極は画素電極５３に接続される。）。この容量線３０には電源回路４００から共通電位ＶＣＯＭが供給される（図１も参照）。
なお、対向電極５４の電位と保持容量５２の一方の電極の電位は、この第１実施形態の例の場合一致するが、別々に設定されてもよい。第１実施形態のように、両電位を共通にする場合には、電源回路４００の構成を簡素化できるという利点が得られる。
【００２５】
画素５０は、データ電位供給線７０に接続される。このデータ電位供給線７０と、画像表示領域Ａ内のデータ線２０との間には、サンプルホールドトランジスター７５（以下「ＳＨトランジスター７５」と略称することがある。）が備えられる。このＳＨトランジスター７５は、前述の選択トランジスター５１と同様、ＣＭＯＳ構造を含み、２本の制御線に接続される。これら各制御線には、相互に相補的関係にある選択信号Ｓ及び／Ｓが供給される（なお、以下では、選択信号Ｓ及び／Ｓを総称する名称として、「選択信号ＳＨ」を用いることがある。図２参照）。ＳＨトランジスター７５は、選択信号Ｓ及び／Ｓの状態に応じて、データ線２０からみてデータ電位供給線７０に対し導通又は非導通状態となる。なお、以上のデータ電位供給線７０及びＳＨトランジスター７５は、データ線駆動回路２００の一部を構成する。
【００２６】
次に、以上のような構成をもつ電気光学装置１Ａの動作ないし作用について、既に参照した図１及び図２に加えて図３乃至図７を参照しながら説明する。
まず、全体的な観点から見た、第１実施形態の電気光学装置１Ａの基本的な動作について説明する。
電気光学装置１Ａの動作の基本は、図１に示すマトリクス状配列に従って並ぶ画素５０の各々に、それに固有のデータ電位ＤＡＴを保持させることにある。この場合、各画素５０がどのような順番でデータ電位ＤＡＴを保持していくかについては様々な手法がありうるが、典型的には、図３に示すような手法が好適に採用可能である。
すなわち、図３においては、まず、第1行目の走査線１０にアクティブとなる走査信号Ｙ１が供給される。ここで、走査信号Ｙ１は走査信号ＧＬ１及び／ＧＬ１からなるから、走査信号Ｙ１がアクティブとなるということは、第１実施形態においては、図３に示すように、走査信号ＧＬ１がローレベルからハイレベルに、走査信号／ＧＬ１がハイレベルからローレベルに、それぞれ遷移することを意味する。これにより、第1行目に属する画素５０内の選択トランジスター５１はオン状態となる（以上、図２も参照）。
【００２７】
他方、この選択トランジスター５１のオン状態と適当に同期して、選択信号ＳＨがアクティブになると、ＳＨトランジスター７５がオン状態となる（図２参照）。この場合における、選択信号ＳＨがアクティブとなるという意味も、すぐ上に述べた走査信号Ｙの場合とほぼ同様である。すなわち、選択信号ＳＨがアクティブとなるということは、第１実施形態においては、選択信号Ｓがローレベルからハイレベルに、走査信号／Ｓがハイレベルからローレベルに、それぞれ遷移することを意味する。
なお、図３においては、図１に示すデータ線２０が１０列ごとに１つの単位を形成し、１回の機会において、１０個のデータ電位ＤＡＴ１〜１０が一斉に画像表示領域Ａへと供給される例が示されている。図中、符号ＳＨ１，ＳＨ２，…，Ｓ１，Ｓ２，…，／Ｓ１，／Ｓ２，…（特に、その中の“１”や“２”）というように、選択信号ＳＨを表す符号に数字が付されているのは、この１０個のデータ電位ＤＡＴ（ないし１０本のデータ線２０）に対応するＳＨトランジスター７５を、それら１個１個の数字に代表させている意味がある。
【００２８】
以上の際、データ電位供給線７０には、適当なタイミングでデータ電位ＤＡＴ１，２，…，１０が供給される。このデータ電位ＤＡＴ１，２，…，１０は、ＳＨトランジスター７５及び選択トランジスター５１を介して、それらデータ電位ＤＡＴ１，２，…，１０の各々に対応する液晶素子６０に書き込まれる。以下、データ電位ＤＡＴ１１，…，２０以降も同様である。なお、最後のデータ電位ＤＡＴｍの書き込みに対応する選択信号を表す符号ＳＨ（ｍ／１０）（特に、その中の“ｍ／１０”）は、データ線２０の数がｍ本あり、かつ、データ電位ＤＡＴの書込が前述のように１０本のデータ線２０ごとに行われることに基づいている。
そして、最後のデータ電位ＤＡＴｍが書き込まれた後、走査信号Ｙ１が非アクティブになると、選択トランジスター５１がオフ状態となり、書き込まれたデータ電位ＤＡＴ１，…，ｍが保持されることになる。実際の選択トランジスター５１は、完全なオフ状態にならず一定のリーク電流が発生するが、保持容量５２が、リーク電流の影響を低減してデータ電位ＤＡＴ１，…，ｍの保持特性を向上させる。
【００２９】
以上の動作によって、第１行目に位置する画素５０の各々が、それに固有のデータ電位ＤＡＴを保持することになる。
後は、以上の繰り返しである。すなわち、続いて、第２行目の走査線１０にアクティブとなる走査信号Ｙ２が供給されている間、選択信号ＳＨがアクティブとなりながら前述した１単位のデータ線２０ごとにデータ電位ＤＡＴが供給されていく。第３行目以降も同じである。
なお、上述において、走査信号Ｙ１，Ｙ２，…，Ｙｎがアクティブとなるタイミングは、図３に示すようにＹクロック信号ＹＣＫに応じる。また、第１行目に係る走査信号Ｙ１がアクティブとなる時点は、Ｙ転送開始パルスＹＳＰがアクティブとなるタイミングに呼応する。これらの事情は、選択信号ＳＨについてもほぼ同様であり、選択信号ＳＨ１，ＳＨ２，…がアクティブとなるタイミングは、Ｘクロック信号ＸＣＫに応じ、また、第１番目に係る選択信号ＳＨ１がアクティブとなる時点は、Ｘ転送開始パルスＸＳＰがアクティブとなるタイミングに呼応する。
【００３０】
このようにして、全画素５０はそれぞれ、それに固有のデータ電位ＤＡＴを保持する。なお、図３中、「１Ｈ」とあるのは、１行分の画素５０にデータ電位ＤＡＴが書き込まれるまでの期間（一水平走査期間）を意味し、「１Ｖ」とあるのは、全画素５０にデータ電位ＤＡＴが書き込まれるまでの期間（一垂直走査期間）を意味する。後者は特に、後の説明において、１フレームないしは１フレーム期間などと呼ぶことがある。
【００３１】
以上が、電気光学装置１Ａの動作の基本であるが、第１実施形態においては、これに加えて以下に述べる各種特徴を備える。
まず、第１に、第１実施形態に係る電気光学装置１Ａにおいては、図４に示すように、走査信号Ｙの転送方向を図３に示す場合と逆にすることが可能である。この切替えは、Ｙ転送方向指令信号ＵＤの状態如何による。すなわち、図４に示すように、Ｙ転送方向指令信号ＵＤがローレベルにあるときには、走査線１０は、図１中下から順に選択されていき、ハイレベルにあるとき（即ち、図３に示す場合）には、図１中上から順に選択されていく。このような動作は、例えば走査線駆動回路１００を構成するシフトレジスタ（不図示）の駆動方向ないしその順序を、Ｙ転送方向指令信号ＵＤのレベルに応じて変化させること等によって実現可能である。
【００３２】
また、第２に、第１実施形態に係る電気光学装置１Ａにおいては、図５に示すように、１回の機会において、複数本の走査線１０を同時に選択することが可能である。図５では、たまたま、３本の走査線１０が同時に選択され、かつ、以後、３本ずつの走査線１０が順次に選択されていくことを示唆する例が示されている。
このような動作は、例えば通常の動作（図３を念頭においている。）時における、ある１本の走査線１０のための走査信号Ｙを、当該走査線１０と所定の関係にある他の走査線１０にも共用可能なように、走査線駆動回路１００を構成しておくこと等によって実現可能である。第１実施形態では、このような動作を実現するためには、同時出力指令信号ＤＳ（図５等においては不図示）が利用される。
【００３３】
さらに、第３に、第１実施形態に係る電気光学装置１Ａにおいては、液晶素子６０へ印加される電圧の極性が適当なタイミングごとに反転する、いわゆる反転駆動が行われる。すなわち、ある場合には、画素電極５３の電位が対向電極５４の電位よりも高く、また、ある場合にはその逆となる、といった電位の変動が一定期間ごとに繰り返し行われる。この場合、そのような反転タイミングとしては、以下に述べる各種の態様が想定される。
〔ｉ〕  フレーム単位の反転：この場合には、図１に示す全画素５０が一通り駆動されるまでは、当該全画素５０に関し、例えば画素電極５３の電位は対向電極５４の電位よりも常に高いが、次のフレームにおいてはその逆となる、などということになる（Ｖ反転方式）。
〔ｉｉ〕  データ線単位の反転：この場合には、ある１フレーム期間中において、ある画素５０（ｉ，ｊ）については画素電極５３の電位が対向電極５４の電位よりも高いが、その隣の画素５０（ｉ，ｊ＋１）についてはその逆となる、などということになる（Ｓ反転方式）。
〔ｉｉｉ〕  走査線単位の反転：  この場合には、ある１フレーム期間中において、ある行に位置する画素５０（ｉ，１），…，Ｐ１（ｉ，ｎ）を駆動する場合には画素電極５３の電位が対向電極５４の電位よりも高いが、次の行に位置する画素５０（ｉ＋１，１），…，Ｐ１（ｉ＋１，ｎ）を駆動する場合にはその逆となる、などということになる（Ｈ反転方式）。
〔ｉｖ〕  画素単位の反転：  この場合には、前述のＳ反転方式及びＨ反転方式が併用される（ドット反転方式）。
本発明は、このような各種の反転タイミングの態様について特に限定されることはない。なお、後の説明においては、画素電極５３の電位と対向電極５４の電位との高低関係が同じに維持される期間、即ち上述した各種の反転タイミングによって画される１個の期間（例えば、前記〔ｉｉｉ〕の場合には、１水平走査期間に一致する。）を、１フィールドないしは１フィールド期間と呼ぶことがある。
【００３４】
そして、第４に、第１実施形態に係る電気光学装置１Ａにおいては、前記の第１から第３の全部又は一部の特徴を前提に、以下に述べるような動作が行われることに特に特徴がある。以下では、これについて図６を参照しながら説明する。なお、図６は、説明を簡単にするため、画素５０が１個しか存在しない場合、即ちデータ電位ＤＡＴの書込対象となる画素５０は１個であって、当該画素５０への書込がいったん完了したら、その後即座に当該画素５０への書込が再び行われる、という場合を前提としている。また、図６は、これに応じて、走査線１０も１本（即ち配線１１及び１２が１本ずつ）、データ線２０も１本、ＳＨトランジスター７５も１個（図２参照）しか存在しない場合を前提としている。
【００３５】
まず、図６において、対向電極５４の共通電位ＶＣＯＭが、一定の期間１Ｆごとに反転していく様子が描かれている。ここでいう１フィールド期間１Ｆは、上述のように、１垂直走査期間に一致する場合、あるいは１水平走査期間に一致する場合等々ありうるが、図６においては、画素５０が１個しか存在しない場合が前提とされているから、前記の〔ｉ〕〜〔ｉｖ〕のどれにもあてはまるとみなすことが可能である（画素５０が１個しかないのであるから、「ドット反転方式」であるとみなすのが一応はわかりやすいとはいえる。）。
図６では、このような対向電極５４の電位ＶＣＯＭの変動に応じて、データ電位ＤＡＴが、高電位基準に対応した電位又は低電位基準に対応した電位という性質上区分可能な２種類の電位をとる。すなわち、第１種の電位は、共通電位ＶＣＯＭがより高い電位（図６では“３Ｖ”）をもつ場合に対応するものであり、第２種の電位は、共通電位ＶＣＯＭがより低い電位（図６では“０Ｖ”）をもつ場合に対応するものである。前者の場合、ＶＣＯＭ≧ＤＡＴとなる一方、後者の場合、ＤＡＴ≦ＶＣＯＭとなり、いずれの場合であっても、両者間の電位差が液晶素子６０に印加されることになる（図６中の太線矢印参照）。そして、これら両電位の差の程度（即ち、図６中の太線矢印の長さ）が、液晶素子６０を透過する光の割合、即ち階調の程度を決定する。
【００３６】
なお、図６中、最下段においては、図２に示す画素５０内のノードＺ１における電位Ｖｐｉｘ（以下、画素電位Ｖｐｉｘと呼ぶことがある。）の変動の様子が示されている。この画素電位Ｖｐｉｘは、当然ながら、データ電位ＤＡＴの変動に応じて変動する。もっとも、画素電位Ｖｐｉｘには、符号ＳＤが付された楕円内に示されるような、それに特有の電位変動が生じている様子もみられる。この点については、後に改めて説明することとする。
【００３７】
第１実施形態においては、このような状況において、図６に示すように、相殺電位書込動作が行われる。より詳細には以下のようである。
この相殺電位書込動作は、前述した画素５０へのデータ電位ＤＡＴの書込動作に先立って行われる。より正確には、共通電位ＶＣＯＭの反転タイミングに先立つ。すなわち、共通電位ＶＣＯＭが低電位から高電位へと変動する際において、走査信号Ｙ及び選択信号ＳＨはともにアクティブとなるとともに、データ電位ＤＡＴは、従前までの対向電極５４がとっていた電位、つまり低電位側の電位となる。これによって、画素５０へは、たったいま共通電位ＶＣＯＭが高電位となったのに反抗するかのように、低電位が書き込まれることになる（図６中の符号「ＬＡＣ」参照）。
他方、共通電位ＶＣＯＭが高電位から低電位へと変動する際においても、同様の動作が行われる。ただし、この場合においては、画素５０へは、たったいま共通電位ＶＣＯＭが低電位となったのに反抗するかのように、高電位が書き込まれることになる（図６中の符号「ＨＡＣ」参照）。
【００３８】
この図６に示すような動作が、画素５０が図１に示すようにｎ×ｍ個の存在する場合において実行される場合を考えると、それは例えば図７に示すように表現することが可能である。
この図７においては、図中上下方向が各走査線１０の位置を表現する。すなわち、図７の下方に示す「Ｙ１」が、図１の最上方に位置する走査線１０を表現し、図７の上方に示す「Ｙｎ」が、図１の最下方に位置する走査線１０を表現する。また、図７の左右方向においては、時間の進行が表現されている（なお、念のため、符号「Ｙ」あるいは「Ｙ１」，「Ｙ２」，…等は、前述のように、直接的には「走査信号」を意味するが、図７では、走査線１０を意味するものとしていわば転用している。）。
そして、このような走査線１０の位置と時間とによって作られる空間に描かれる矢印Ａｒ１及びＡｒ２は、各走査線１０が順次に選択されていく様子を表現する。つまり、ある１本の矢印において、その基端で第１行目の走査線１０が選択されてから、時間の進行に連れて、次第に、第２，第３，…の走査線１０が選択されていき、矢印の先端で第ｎ行目の走査線１０が選択されること、が、当該１本の矢印によって表現されている。ちなみに、このことから、この矢印の傾きは、全走査線１０が選択される時間を標準とした、選択速度の平均値（本明細書においては、これを「平均選択速度」ということがある。）を表していることになる。なお、一時に選択される走査線１０については、図７上の時間軸を垂直に横切る同一直線上のることになるはずであるから、当該矢印をより厳密に描けば、当該矢印はいわば階段状のものになる。「平均選択速度」という場合の「平均」は、このような微細な構造を無視することを意味する。
なお、図７において「＋Ｆｉｌｅｄ」及び「−Ｆｉｅｌｄ」とあるのは、図６に示した「１Ｆ」、即ち１フィールド期間を意味している。また、「Ｆｉｅｌｄ」の前に付された「＋」及び「−」が交互に現れることは、図６を参照して説明した“反転”を意味している。なお、この図７に示す１フィールド期間は、前述した矢印Ａｒ１及びＡｒ２の意義からして、１フレーム期間とほぼ同義だと考えてもよい。
【００３９】
このような前提下、図７中、ハッチングによって関連づけられている、それぞれが２本ずつからなる一組の矢印群ＡｒＧにおいて、図中左方の矢印Ａｒ１は、前述した相殺電位書込動作に係る走査線１０の選択の様子を表し、図中右方の矢印Ａｒ２は、データ電位書込動作に係る走査線１０の選択の様子を表している。
これによると、図７においては、相殺電位書込動作が行われる場合における走査線１０の平均選択速度は、データ電位書込動作が行われる場合におけるそれよりも大きいことがわかる。
このような動作が可能であるのは、前述した第２の特徴が活かされている。つまり、相殺電位書込動作を行う場合においては、複数本の走査線１０を同時に選択するのである。なお、このような選択を行ったとしても、相殺電位は、共通電位ＶＣＯＭの値だけに応じるものであって全画素５０に関し一律であるから、特に問題は生じない。これに対して、データ電位ＤＡＴに関しては、通常は、全画素５０の各々に関し相異なるデータ電位ＤＡＴが書き込まれる必要があるから、そのような複数本同時選択は原則としてはできない。
図７の両矢印Ａｒ１及びＡｒ２の傾きの相違は、このような理由に基づいている。
【００４０】
以上を背景として、図７からは、次の事実を読み取ることが可能である。
〔Ａ〕  相殺電位書込動作を行う場合における全走査線１０を選択するために必要となる時間は、データ電位書込動作における全走査線１０を選択するために必要となる時間よりも短い。同じことであるが、これを言い換えれば、前者に係る平均選択速度は、後者に係るそれよりも大きい。
〔Ｂ〕  図７上、相殺電位及びデータ電位書込動作に係る矢印Ａｒ１及びＡｒ２によって挟まれた空間（図中ハッチングが付された空間）は、図１の画像表示領域Ａにおいて画像表示が行われない時間を表現する。なお、両矢印Ａｒ１及びＡｒ２については前述したような傾きの相違があることから、そのような非表示期間の長さは、番号の若い走査線１０（即ち、図１中、より上方に位置する走査線１０）ほど、短くなる。
〔Ｃ〕  図７上、データ電位書込動作に係る矢印Ａｒ２と、その図中右隣に位置する相殺電位書込動作に係る矢印Ａｒ１との間の空間は、図１の画像表示領域Ａにおいて画像表示が行われる時間を表現する。なお、前記〔Ｂ〕で述べたように、番号の若い走査線１０ほど画像非表示期間は短くなることの反面として、画像表示期間は、番号の若い走査線１０ほど長くなることになる。
【００４１】
以上に述べたような電気光学装置１Ａによれば、次のような効果が奏される。
（１）  まず、第１実施形態の電気光学装置１Ａによれば、図６を参照して説明した、相殺電位書込動作に関連して以下に述べるような効果が奏される。
すなわち、相殺電位書込動作が行われることによると、既述のように、画素５０は、対向電極５４がその電位を反転するタイミングの直前において、その反転後の電位に対抗するかのような電位を保持する。この結果、図６の符合「ＬＡＣ」又は「ＨＡＣ」に示すように、画素電位Ｖｐｉｘは、対向電極５４の共通電位ＶＣＯＭとは真反対の挙動を示す。
【００４２】
ところで、対向電極５４の電位の反転に際しては、画素電位Ｖｐｉｘは、液晶素子６０及び保持容量５２のカップリング作用が働くことで変動する。これが、先に説明を後回しにした、図６中の楕円ＳＤ内に示す電位変動の理由である。すなわち、共通電位ＶＣＯＭが低電位から高電位に遷移すると、それに応じて、画素電位Ｖｐｉｘも高電位側に跳ね上がるようにして変動する。共通電位ＶＣＯＭが高電位から低電位に遷移する場合も同じである。
ここで、仮に相殺電位書込動作が行われない場合を想定する。図８はそのような場合の一例を示しているが、これによると、共通電位ＶＣＯＭの変動時点における画素電位Ｖｐｉｘの水準が、相殺電位の書込がない分、より高く又はより低い。したがって、このような場合に、共通電位ＶＣＯＭの電位変動が生じると、楕円ＳＤ内の電位変動の幅は、画素電位Ｖｐｉｘの電位変動として当初意図されていた許容幅を越える可能性が大きくなる。図８及び図６では、共通電位ＶＣＯＭは０Ｖから３Ｖまでの間で変動する例が示されており、楕円ＳＤ内の電位変動も同様の幅の中で生じることが好ましいが、図８では、下限が０Ｖ以下、上限が３Ｖ以上となってしまっている。
このようなことが生じると、まず、所望どおりの画像表示を行うことが困難になるおそれがある。
また、このような許容幅越えの電位変動が生じても、電気光学装置１Ａを支障なく動作させるためには、図２に示した選択トランジスター５１の耐圧性能を向上させておく必要がある。しかし、このことは、選択トランジスター５１のサイズの大型化を要請し、表示画像の高精細化の障害となる。
【００４３】
この点、図６及び図８の対比からもはや明らかであるように、第１実施形態においては、以上のような不都合を被るおそれは極めて低減されている。なぜなら、既述のように、第１実施形態においては、共通電位ＶＣＯＭの反転タイミングの直前において、画素５０に相殺電位が書き込まれるようになっているからである。これにより、共通電位ＶＣＯＭの反転及び前記カップリング作用によって画素電位Ｖｐｉｘに変動が生じたとしても、それ以前に書き込まれた相殺電位がいわば一種のバッファとして機能することによって、その変動幅の多くは、そのような意味におけるバッファによって吸収されるのである。その結果、画素電位Ｖｐｉｘの変動幅は、図示するように、０Ｖから３Ｖまでの間に閉じ込められ得ることになる。
【００４４】
（２）  また、第１実施形態の電気光学装置１Ａによれば、上述した（１）相殺電位に係る作用効果とも関連するが、結局、低電圧駆動を好適に実施することが可能となることから、図２に示したようにＣＭＯＳ構造を含む選択トランジスター５１を好適に利用することが可能となるし、あるいは、消費電力の低減等の各種各様の効果を享受することも可能となる。
【００４５】
（３）  さらに、第１実施形態の電気光学装置１Ａによれば、図７を参照して説明したように、相殺電位書込動作に係る全走査線１０の平均選択速度は、データ電位書込動作に係るそれに比べて、大きい。これによって、電気光学装置１Ａではより明るい画像が表示可能となる等、その表示特性が向上するという効果が奏される。
この点は、比較例である図９と、図７との対比を通じてより明瞭に把握される。
この図９においては、相殺電位書込動作に係る全走査線１０の平均選択速度は、データ電位書込動作に係るそれと同じである。つまり、矢印Ａｒ１’と矢印Ａｒ２との傾きは全く同じである。しかし、このようであると明らかに、図９におけるハッチングが付された部分の面積が、図７におけるそれよりも拡大する。そして、このことは、画像非表示期間の長期化を意味し（前記〔Ｂ〕参照）、あるいは、それに応じた画像表示期間の短期化を意味する（前記〔Ｃ〕参照）。結局、図９の場合は、相殺電位の書込動作の追加が、より暗い画像が表示されることになる等の表示特性の劣化原因となってしまう可能性が生じる。
この点、図７では、このような不具合を被るおそれが極めて低減される。図７においては、相殺電位書込動作に係る平均選択速度が速められているため、画像非表示期間がより短期化され、画像表示期間が長期化されているからである。
【００４６】
＜第２実施形態＞
以下では、本発明に係る第２実施形態について図１０を参照しながら説明する。なお、この第２実施形態は、相殺電位、あるいはデータ電位を書き込む場合における走査線１０の選択方法について特徴があり、それ以外の点については、上記第１実施形態の構成及び動作ないし作用等と同様である。したがって、以下では、前記相違点について主に説明を行うこととし、それ以外の点についての説明は適宜簡略化し、あるいは省略する。
【００４７】
この第２実施形態では、図１０に示すように、相殺電位及びデータ電位書込動作に係る走査線１０の選択方法が、図７の場合と相違する。すなわち、図１０では、上記第１実施形態の電気光学装置１Ａの特徴点の第１として説明した、Ｙ転送方向の逆転機能が用いられている。
より詳細には、図１０においては、相殺電位書込動作に係る全走査線１０の選択が、第１行目の走査線１０から始まり、第ｎ行目の走査線１０で終わる場合（図中矢印Ａｒ３参照）には、それに引き続いて行われるデータ電位書込動作に係る走査線１０の選択は、第ｎ行目から始まり、第１行目で終わるようにして行われる（図中矢印／Ａｒ４参照）。一方、相殺電位書込動作に係る全走査線１０の選択が、第ｎ行目の走査線１０から始まり、第１行目の走査線１０で終わる場合（図中矢印／Ａｒ３参照）には、それに引き続いて行われるデータ電位書込動作に係る走査線１０の選択は、第１行目から始まり、第ｎ行目で終わるようにして行われる（図中矢印Ａｒ４参照）。そして、これらの２つの態様は、交互に繰り返される。
なお、このような転送方向の規則はあるものの、図１０においては、相殺電位書込動作又はデータ電位書込動作に係る平均選択速度は、そのそれぞれに関し、すべてのフィールドに関して一定である（つまり、矢印Ａｒ３及び／Ａｒ３の傾きは、正負の逆を無視すれば同じであり、矢印Ａｒ４及び／Ａｒ４の傾きも、正負の逆を無視すれば同じである。）。
【００４８】
このような走査線１０の選択方法がとられる結果、図１０においては、図７に比べると、各走査線１０の位置に応じた画像表示期間の長短の偏りを解消することが可能となる。
すなわち、図１０及び図７に示した「Ｙａ」及び「Ｙｂ」（ａ＜ｂ）によって代表される２本の走査線１０の位置に関する画像表示期間についてみてみると、図７の「Ｙａ」及び「Ｙｂ」それぞれの画像表示期間は、時間がいかに進行しようとも変動しない。つまり、図７に関して言えば、Ｔａ１＝Ｔａ２であり、Ｔｂ１＝Ｔｂ２である。図示されない、これ以後の時間においても同様である。しかも、図７の場合においては、この両者の間にＴａ１＞Ｔｂ１が成立するが、この関係についても時間の進行に応じた変動は全く生じない。つまり、Ｔａ１（あるいは、Ｔａ２）＞Ｔｂ１（あるいは、Ｔｂ２）が、常に、成立する。
しかし、このようであると、「Ｙｂ」に係る走査線１０の位置における画像表示期間は、「Ｙａ」に係る走査線１０の位置における画像表示期間に比べて常に短いということになるから、一定程度の時間継続して画像全体を観察すると、図１中上方は常に明るいが、下方は常に暗いというような画像が当該観察者に提示されることになりかねない。
【００４９】
この点、図１０の場合においては、「Ｙａ」に係る走査線１０の位置における画像表示期間Ｔａ３及びＴａ４の間には、Ｔａ３＞Ｔａ４が成立し、「Ｙｂ」に係る走査線１０の位置における画像表示期間Ｔｂ３及びＴｂ４の間には、Ｔｂ３＜Ｔｂ４が成立する。しかも、Ｔａ３＝Ｔｂ４及びＴａ４＝Ｔｂ３が成立する。以上から結局、Ｔａ３＋Ｔａ４＝Ｔｂ３＋Ｔｂ４が成立する。このような関係が成立するのは、走査線１０の選択方法に関し、上述したようなＹ転送方向の逆転が行われるようになっているからである。
【００５０】
以上のように、図１０の場合では、「Ｙａ」又は「Ｙｂ」に沿ってみると、１フィールドごとに画像表示期間は変動していくが、２フィールド期間を一単位としてみると、両者に係る画像表示期間はちょうどバランスがとられるようになっている。
このようにして、第２実施形態によれば、図７においてみられる可能性のある、各走査線１０の位置に応じた画像表示期間の長短の偏り（あるいは、画像輝度の偏り）を解消することが可能となっているのである。
【００５１】
＜第３実施形態＞
以下では、本発明に係る第３実施形態について図１１を参照しながら説明する。なお、この第３実施形態は、相殺電位、あるいはデータ電位を書き込む場合における走査線１０の選択方法について特徴があり、それ以外の点については、上記第１実施形態の構成及び動作ないし作用等と同様である。したがって、以下では、前記相違点について主に説明を行うこととし、それ以外の点についての説明は適宜簡略化し、あるいは省略する。
【００５２】
この第３実施形態では、図１１に示すように、相殺電位及びデータ電位書込動作に係る走査線１０の選択方法が、図７及び図１０の場合と相違する。
より詳細には、図１１においては、相殺電位書込動作に係る全走査線１０の選択が、第１行目の走査線１０から始まり、第ｎ行目の走査線１０で終わる場合（図中矢印Ａｒ５参照）には、それに引き続いて行われるデータ電位書込動作に係る走査線１０の選択も、第１行目から始まり、第ｎ行目で終わるようにして行われる（図中矢印Ａｒ６参照）。一方、相殺電位書込動作に係る全走査線１０の選択が、第ｎ行目の走査線１０から始まり、第１行目の走査線１０で終わる場合（図中矢印／Ａｒ５参照）には、それに引き続いて行われるデータ電位書込動作に係る走査線１０の選択も、第ｎ行目から始まり、第１行目で終わるようにして行われる（図中矢印／Ａｒ６参照）。そして、これらの２つの態様は、交互に繰り返される。
なお、このような転送方向の規則はあるものの、図１１においては、相殺電位書込動作又はデータ電位書込動作に係る平均選択速度は、そのそれぞれに関し、すべてのフィールドに関して一定である（つまり、矢印Ａｒ５及び／Ａｒ５の傾きは、正負の逆を無視すれば同じであり、矢印Ａｒ６及び／Ａｒ６の傾きも、正負の逆を無視すれば同じである。）。
【００５３】
このような走査線１０の選択方法がとられる結果、まず、図１１においても、図１０と同様の作用効果が得られる。すなわち、図７と対比して、各走査線１０の位置に応じた画像表示期間の長短の偏りを解消することが可能である。これは、この図１１においても、「Ｙａ」に係る走査線１０に関し、Ｔａ５＞Ｔａ６が成立し、「Ｙｂ」に係る走査線１０に関し、Ｔｂ５＜Ｔｂ６が成立するとともに、Ｔａ５＝Ｔｂ６及びＴａ６＝Ｔｂ５が成立するので、Ｔａ５＋Ｔａ６＝Ｔｂ５＋Ｔｂ６が成立するからである。このように、第３実施形態においても、表示特性の維持・改善が見込まれることになる。
【００５４】
これに加えて、この図１１においては、以下に述べるような利点も得られる。
すなわち、図１０の場合では、一組の矢印群ＡｒＧの中には、Ｙ転送方向の反転ポイントＰ１が必ず存在する。この反転ポイントＰ１では、例えば矢印／Ａｒ３から矢印Ａｒ４への移行が行われるから、第１行目の走査線１０についての選択電圧の印加（即ち、アクティブである走査信号Ｙの印加）とそれに応じた相殺電位及びデータ電位ＤＡＴの書込動作が、いわば連続的に行われる必要がある。しかし、このような駆動態様であると、その直前における画素５０への相殺電位書込動作の影響（例えばデータ線２０自身がもつ寄生容量等の影響による応答特性の遅れ等々）が残って、当該画素５０へのデータ電位ＤＡＴの書込が首尾よく終了しないおそれがある。また、このような同一の液晶素子６０に対する連続的な駆動は、当該液晶素子６０の応答特性等の各種の特性に、必ずしも良い影響を与えないおそれもある。同様のことは、程度の差こそあれ、第１行目に走査線１０に近い走査線１０、例えば第２，第３，…の走査線１０に対応する画素５０についても、比較的間を置かずに駆動されることに変わりはないから、懸念されることになる。
なお、以上述べたことは、矢印Ａｒ３から矢印／Ａｒ４への移行に際し、第ｎ行目の走査線１０、あるいはこれに近い走査線１０に対応する画素５０についても同様にあてはまる懸念事項となる。
【００５５】
この点、図１１においては、前述したような駆動態様が採用されることから、各矢印群ＡｒＧにおいて、図１０に示すような反転ポイントＰ１が存在しない。すなわち、図１１においては、例えば矢印Ａｒ５に沿って、第１行目から第ｎ行目までの走査線１０に対応する画素５０への相殺電位の書込が完了すると（図１１中符号Ｐ２参照）、それに続いて再び、第１行目の走査線に対応する画素５０へのデータ電位ＤＡＴの書込（矢印Ａｒ６に沿った書込）が始まるようになっている（図１１中符号Ｐ３参照）。つまり、この場合は、第ｎ行目の走査線１０への選択電圧の印加、あるいは当該走査線１０に対応する画素５０へのデータ電位ＤＡＴの書込が連続的に行われないようになっているので、上述したような不具合を被るおそれがないのである。なお、以上述べたことは、矢印／Ａｒ５から矢印／Ａｒ６への移行に際しても同様にあてはまる。
このようにして、第３実施形態によれば、より高品質な画像表示の可能性が高まる。
【００５６】
なお、この第３実施形態は、いま述べたような意味において、上記第２実施形態に対して優位に立つということはできる。
しかし、上述したような第３実施形態の特徴、即ち図１０に示すような反転ポイントＰ１をもたず、相殺電位及びデータ電位の書込動作の双方が、同様に、第１行目又は第ｎ行目の走査線１０から開始されるという特徴は、画像表示期間を長期化したいという観点からみると、第２実施形態に対して不利な点になるという見方もできる（例えば、図１１のＴａ６及び図１０のＴａ４を対比参照。前者の方が後者に比べて短い。）。
このように、第２及び第３実施形態に関しては一概に有利不利を定めることはできない。どちらを選択するかは、上記した事情に加えて、そのほかの様々な事情（例えば駆動周波数。これが高ければ高いほど、１フィールド期間の実時間の長さは短くなり、前述した連続的書込の弊害はより大きくなると考えられるから、第３実施形態及び図１１のほうがより有利といえる。）が勘案された上で、決定されるべき事柄である。
【００５７】
以上、本発明に係る実施の形態について説明したが、本発明に係る電気光学装置は、上述した形態に限定されることはなく、各種の変形が可能である。
（１）  上記第１実施形態においては、図５を参照して走査線１０が３本ずつ選択されていく様子を説明しているが、本発明はかかる形態に限定されない。何本の走査線１０を同時に選択するかは、様々な事情を勘案して適宜に定め得る事項である。具体的には例えば、平均選択速度が表示画像の明るさを決定するという側面をもっていること（図７等参照）を考慮するなら、実現したい明るさをその都度決めた後、それに応じて平均選択速度を決める（つまり、同時選択される走査線１０の数を決める）、といった態様が採用されてもよい。この場合、データ電位ＤＡＴの調整等を通じてではなく、平均選択速度のその都度の設定に応じて、表示画像の明るさ設定が可能となる、ということになる。
また、場合によっては、全部の走査線１０を同時に選択する場合もあり得てよい。この場合は、図示はしないが、例えば図７の矢印Ａｒ１は図中上下方向に垂直に立つようなものとなる。
【００５８】
さらに、これに関連して、上記各実施形態においては、図７の矢印Ａｒ１、図１０の矢印Ａｒ３及び／Ａｒ３、又は、図１１の矢印Ａｒ５及び／Ａｒ５は、各図における時間の進行にかかわらず、常に同じ傾きをもつ（正負の符号が逆になることは別）ことを前提にしているが、本発明はかかる形態にも限定されない。すなわち、場合によっては、その時々に応じて、相殺電位書込動作に係る平均選択速度が変わっていくような態様も、本発明の範囲内にある。その変更態様についても、１フィールドごと交互に変わる、ある所定の時期だけ変わる、転送方向の別に応じて変わる、等々様々なものを想定することができる。
【００５９】
（２）  上記第２及び第３実施形態においては、２フィールド期間を一単位として、上下それぞれに位置する走査線１０に係る画像表示期間のバランスがとられるようになっているが、本発明は、かかる形態に限定されない。
例えば、場合によっては、図１２に示すような態様が採用されてもよい。
この図１２においては、図中最左方から順に、図１０に示す矢印群ＡｒＧと、図１１に示す矢印群ＡｒＧとが交互に配列されていくような態様となっている。なお、この場合には、符号「Ｙａ」に係る画像表示期間は、図１２に示すように、Ｔａ７からＴａ１０へと変化する一方、符号「Ｙｂ」に係る画像表示期間は、Ｔｂ７からＴｂ１０へと変化する。そして、これらに関しては、Ｔａ７＋Ｔａ８＝Ｔｂ７＋Ｔｂ８、あるいは、Ｔａ９＋Ｔａ１０＝Ｔｂ９＋Ｔｂ１０、は成立しない。ただし、Ｔａ７＋Ｔａ８＋Ｔａ９＋Ｔａ１０＝Ｔｂ７＋Ｔｂ８＋Ｔｂ９＋Ｔｂ１０は成立する。
つまり、この図１２の場合においては、図１０及び図１１のように、２フィールド期間で上下の走査線１０に関する画像表示期間のバランスがとられているのではなく、そのバランスが、４フィールド期間を一単位として用いることによってとられているのである。
このような形態によっても、上述した各実施形態によって奏された作用効果と本質的に異ならない作用効果が奏されることは明白である。
【００６０】
以上のことを、より一般的に言えば、本発明は、何フィールドを使って画像表示期間のバランスをとるかについては、特に拘りをもたないということである。ただし、前記の図１２、あるいは図１０及び図１１の例からもわかるように、通常は、偶数個のフィールド期間の間に、上下の走査線１０に関する画像表示期間のバランスをとることが好ましいということはいえる。奇数個のフィールド期間を使ってバランスをとる方法も勿論あり得るが、その場合、相殺電位書込動作、あるいはデータ電位書込動作に係る平均選択速度の変化が、あまり実際的なものにはならないおそれがあるからである。
【００６１】
（３）  上記各実施形態においては、電気光学装置１Ａをどのような用途に用いるかについては、特に言及していないが、本発明は、電気光学装置の用途に関し特に拘りをもたない。
例えば、すぐ後に述べるように、電気光学装置１Ａは、各種の電子機器に組み込まれた画像表示装置として利用可能である。
また、電気光学装置は、立体画像表示装置としても用いられうる。これは、例えば右眼用画像と左眼用画像を交互に表示することで視差を生じさせ、これにより視認者に立体感を感じさせることが可能な画像表示装置を含む。この場合は、例えば図７中交互に現れる画像表示期間のそれぞれを、右眼用画像の表示期間、左眼用画像の表示期間として利用すればよい。
【００６２】
（４）  上記各実施形態においては、液晶素子６０が、図６に示す太線矢印の長さに応じた階調となる場合、つまり電圧振幅に応じて表示階調が決定される場合について説明しているが、本発明は、かかる形態に限定されない。
例えば、このような電圧振幅のほか、パルスコードやＰＷＭ（Pulse Width Modulation）等のデジタルコードの利用により液晶素子６０の表示階調が決定されるような場合であっても、本発明の適用は可能である。
【００６３】
＜応用＞
次に、上記実施形態に係る電気光学装置１Ａを適用した電子機器について説明する。
図１３は、上記実施形態に係る電気光学装置１Ａを画像表示装置に利用したモバイル型のパーソナルコンピュータの構成を示す斜視図である。パーソナルコンピュータ２０００は、表示装置としての電気光学装置１Ａと本体部２０１０とを備える。本体部２０１０には、電源スイッチ２００１及びキーボード２００２が設けられている。
図１４に、上記実施形態に係る電気光学装置１Ａを適用した携帯電話機を示す。携帯電話機３０００は、複数の操作ボタン３００１及びスクロールボタン３００２、ならびに表示装置としての電気光学装置１Ａを備える。スクロールボタン３００２を操作することによって、電気光学装置１Ａに表示される画面がスクロールされる。
図１５に、上記実施形態に係る電気光学装置１Ａを適用した情報携帯端末（ＰＤＡ：Personal Digital Assistant）を示す。情報携帯端末４０００は、複数の操作ボタン４００１及び電源スイッチ４００２、ならびに表示装置としての電気光学装置１Ａを備える。電源スイッチ４００２を操作すると、住所録やスケジュール帳といった各種の情報が電気光学装置１Ａに表示される。
【００６４】
本発明に係る有機ＥＬ装置が適用される電子機器としては、図１３から図１５に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、ビデオプレーヤ、タッチパネルを備えた機器等が挙げられる。
【符号の説明】
【００６５】
１Ａ……電気光学装置，Ａ……画像表示領域，１００……走査線駆動回路，２００……データ線駆動回路，３００……制御回路，１０……走査線，１１，１２……配線，２０……データ線，３０……容量線，５０……画素，Ｐ１……画素回路，５１……選択トランジスター，５２……保持容量，５３……画素電極，５４……対向電極，６０……液晶素子，ＬＣ……液晶，７０……データ電位供給線，７５……サンプルホールドトランジスター，ＵＤ……Ｙ転送方向指令信号，ＤＳ……同時出力指令信号，１Ｆ……フィールド期間，ＶＣＯＭ……共通電位，ＤＡＴ……データ電位，Ｖｐｉｘ……画素電位，Ｙ，ＧＬ，／ＧＬ……走査信号，ＳＨ，Ｓ，／Ｓ……選択信号，Ａｒ１〜Ａｒ６……矢印，ＡｒＧ……矢印群，Ｔａ１〜Ｔａ１０，Ｔｂ１〜Ｔｂ１０……画像表示期間
【図１】
2010266601.tif 000003
【図２】
2010266601.tif 000004
【図３】
2010266601.tif 000005
【図４】
2010266601.tif 000006
【図５】
2010266601.tif 000007
【図６】
2010266601.tif 000008
【図７】
2010266601.tif 000009
【図８】
2010266601.tif 000010
【図９】
2010266601.tif 000011
【図１０】
2010266601.tif 000012
【図１１】
2010266601.tif 000013
【図１２】
2010266601.tif 000014
【図１３】
2010266601.tif 000015
【図１４】
2010266601.tif 000016
【図１５】
2010266601.tif 000017